(57)【要約】  例えば、コード分割多元接続（ＣＤＭＡ）を使用して、直交周波数分割多重（ＯＦＤＭ）により、ワイヤレスローカルエリアネットワーク中でユーザ端末からアクセスポイント（ＡＰ）に情報を伝達するための方法および装置を提供する。多数のユーザ端末をサポートするために用いられる一方で、衝突を回避し、このＣＤＭＡベースのスキームは、多数のユーザ端末からＵＬ信号を送信する従来の技術と比較したときに、多数の利点を提供できる。最初に、使用されるスロットの数に関する効率を上げることができる。さらに、このスキームは、多数のユーザ端末に対してスケーラブルであり、サポートできるユーザの数に関してソフトな制限を有することができる。さらに、このＣＤＭＡベースのスキームは、周波数オフセットに対してより大きな許容を提供でき、レンジングおよび電力制御に対して利用できる。
2012500601.tif 000002
【特許請求の範囲】
【請求項１】
ワイヤレス通信システム中で情報を伝達するための方法において、
アップリンク（ＵＬ）信号中で伝達すべき情報を示すインデックスを選択することと、
前記インデックスに対応するＮビットのコードシーケンスをＭ個のサブシーケンスに分割することと、
直交周波数分割多重（ＯＦＤＭ）フレーム中の複数のＯＦＤＭシンボルとして、前記Ｍ個のサブシーケンスを送信することとを含む方法。
【請求項２】
前記インデックスに対応するＮビットのコードシーケンスを直交位相シフトキーイング（ＱＰＳＫ）スクランブルして、ＵＬ信号を同時に送信している複数のユーザ端末のうちの１つを示すことをさらに含み、前記Ｎビットのコードシーケンスを分割することは、前記ＱＰＳＫスクランブルされたＮビットのコードシーケンスをＭ個のサブシーケンスに分割することを含む請求項１記載の方法。
【請求項３】
前記インデックスは、ウォルシュインデックスであり、前記Ｎビットのコードシーケンスは、ウォルシュシーケンスを含む請求項１記載の方法。
【請求項４】
前記ウォルシュシーケンスは、１０２４ビットのウォルシュシーケンスであり、前記Ｎビットのコードシーケンスを分割することは、前記１０２４ビットのウォルシュシーケンスを６４個のサブシーケンスに分割することを含み、各サブシーケンスは、１６個のサンプルを有する請求項３記載の方法。
【請求項５】
前記Ｍ個のサブシーケンスの送信は、６４個のＯＦＤＭシンボルにわたる送信を含み、１６本の副搬送波が、前記ＯＦＤＭシンボルのそれぞれにおいて使用される請求項４記載の方法。
【請求項６】
前記インデックスと前記Ｎビットのコードシーケンスは、８０２．１１ｂ波形から導出される請求項１記載の方法。
【請求項７】
前記８０２．１１ｂ波形は、バーカーシーケンスまたは修正バーカーシーケンスを含む請求項６記載の方法。
【請求項８】
前記ワイヤレス通信システムは、ワイヤレスローカルエリアネットワーク（ＷＬＡＮ）システムを含む請求項１記載の方法。
【請求項９】
前記情報は、既知のパイロットシーケンスを含む請求項１記載の方法。
【請求項１０】
前記情報は、リソース要求を含む請求項１記載の方法。
【請求項１１】
前記リソース要求の肯定応答を受信することをさらに含む請求項１０記載の方法。
【請求項１２】
前記情報は、チャネル品質インジケータ（ＣＱＩ）と、ビームフォーミングメトリックと、チャネル品質に関係する他のメトリック変形体とのうちの少なくとも１つを含む請求項１記載の方法。
【請求項１３】
前記ＣＱＩに基づいて送信されたダウンリンク（ＤＬ）信号を受信することをさらに含む請求項１２記載の方法。
【請求項１４】
前記ＵＬ信号は、ユーザ端末から、アクセスポイント（ＡＰ）に、または、ピアツーピア適用モードで他の１つ以上のユーザ端末に送信される１つ以上の信号を含む請求項１記載の方法。
【請求項１５】
ワイヤレス通信システム中で情報を伝達するコンピュータプログラムプロダクトにおいて、
１つ以上のプロセッサにより実行可能な命令を記憶しているコンピュータ読み取り可能記憶媒体を具備し、
前記命令は、
アップリンク（ＵＬ）信号中で伝達すべき情報を示すインデックスを選択するための命令と、
前記インデックスに対応するＮビットのコードシーケンスをＭ個のサブシーケンスに分割するための命令と、
直交周波数分割多重（ＯＦＤＭ）フレーム中の複数のＯＦＤＭシンボルとして、前記Ｍ個のサブシーケンスを送信するための命令とを含むコンピュータプログラムプロダクト。
【請求項１６】
前記インデックスに対応するＮビットのコードシーケンスを直交位相シフトキーイング（ＱＰＳＫ）スクランブルして、ＵＬ信号を同時に送信している複数のユーザ端末のうちの１つを示すための命令をさらに含み、前記Ｎビットのコードシーケンスを分割するための命令は、前記ＱＰＳＫスクランブルされたＮビットのコードシーケンスをＭ個のサブシーケンスに分割するための命令を含む請求項１５記載のコンピュータプログラムプロダクト。
【請求項１７】
前記インデックスは、ウォルシュインデックスであり、前記Ｎビットのコードシーケンスは、ウォルシュシーケンスを含む請求項１５記載のコンピュータプログラムプロダクト。
【請求項１８】
前記ウォルシュシーケンスは、１０２４ビットのウォルシュシーケンスであり、前記Ｎビットのコードシーケンスを分割するための命令は、前記１０２４ビットのウォルシュシーケンスを６４個のサブシーケンスに分割するための命令を含み、各サブシーケンスは、１６個のサンプルを有する請求項１７記載のコンピュータプログラムプロダクト。
【請求項１９】
前記Ｍ個のサブシーケンスを送信するための命令は、６４個のＯＦＤＭシンボルにわたる送信のための命令を含み、１６本の副搬送波が、前記ＯＦＤＭシンボルのそれぞれにおいて使用される請求項１８記載のコンピュータプログラムプロダクト。
【請求項２０】
前記インデックスと前記Ｎビットのコードシーケンスは、８０２．１１ｂ波形から導出される請求項１５記載のコンピュータプログラムプロダクト。
【請求項２１】
前記８０２．１１ｂ波形は、バーカーシーケンスまたは修正バーカーシーケンスを含む請求項２０記載のコンピュータプログラムプロダクト。
【請求項２２】
前記ワイヤレス通信システムは、ワイヤレスローカルエリアネットワーク（ＷＬＡＮ）システムを含む請求項１５記載のコンピュータプログラムプロダクト。
【請求項２３】
前記情報は、既知のパイロットシーケンスを含む請求項１５記載のコンピュータプログラムプロダクト。
【請求項２４】
前記情報は、リソース要求を含む請求項１５記載のコンピュータプログラムプロダクト。
【請求項２５】
前記リソース要求の肯定応答を受信するための命令をさらに含む請求項２４記載のコンピュータプログラムプロダクト。
【請求項２６】
前記情報は、チャネル品質インジケータ（ＣＱＩ）と、ビームフォーミングメトリックと、チャネル品質に関係する他のメトリック変形体とのうちの少なくとも１つを含む請求項１５記載のコンピュータプログラムプロダクト。
【請求項２７】
前記ＣＱＩに基づいて送信されたダウンリンク（ＤＬ）信号を受信するための命令をさらに含む請求項２６記載のコンピュータプログラムプロダクト。
【請求項２８】
前記ＵＬ信号は、ユーザ端末から、アクセスポイント（ＡＰ）に、または、ピアツーピア適用モードで他の１つ以上のユーザ端末に送信される１つ以上の信号を含む請求項１５記載のコンピュータプログラムプロダクト。
【請求項２９】
ワイヤレス通信のための装置において、
アップリンク（ＵＬ）信号中で伝達すべき情報を示すインデックスを選択する手段と、
前記インデックスに対応するＮビットのコードシーケンスをＭ個のサブシーケンスに分割する手段と、
直交周波数分割多重（ＯＦＤＭ）フレーム中の複数のＯＦＤＭシンボルとして、前記Ｍ個のサブシーケンスを送信する手段とを具備する装置。
【請求項３０】
前記インデックスに対応するＮビットのコードシーケンスを直交位相シフトキーイング（ＱＰＳＫ）スクランブルして、ＵＬ信号を同時に送信している複数のユーザ端末のうちの１つを示す手段をさらに具備し、前記Ｎビットのコードシーケンスを分割する手段は、前記ＱＰＳＫスクランブルされたＮビットのコードシーケンスをＭ個のサブシーケンスに分割する手段を備える請求項２９記載の装置。
【請求項３１】
前記インデックスは、ウォルシュインデックスであり、前記Ｎビットのコードシーケンスは、ウォルシュシーケンスを含む請求項２９記載の装置。
【請求項３２】
前記ウォルシュシーケンスは、１０２４ビットのウォルシュシーケンスであり、前記Ｎビットのコードシーケンスを分割する手段は、前記１０２４ビットのウォルシュシーケンスを６４個のサブシーケンスに分割する手段を備え、各サブシーケンスは、１６個のサンプルを有する請求項３１記載の装置。
【請求項３３】
前記Ｍ個のサブシーケンスの送信する手段は、６４個のＯＦＤＭシンボルにわたる送信のための手段を備え、１６本の副搬送波が、前記ＯＦＤＭシンボルのそれぞれにおいて使用される請求項３２記載の装置。
【請求項３４】
前記インデックスと前記Ｎビットのコードシーケンスは、８０２．１１ｂ波形から導出される請求項２９記載の装置。
【請求項３５】
前記８０２．１１ｂ波形は、バーカーシーケンスまたは修正バーカーシーケンスを含む請求項３４記載の装置。
【請求項３６】
前記装置は、ワイヤレスローカルエリアネットワーク（ＷＬＡＮ）システムの一部である請求項２９記載の装置。
【請求項３７】
前記情報は、既知のパイロットシーケンスを含む請求項２９記載の装置。
【請求項３８】
前記情報は、リソース要求を含む請求項２９記載の装置。
【請求項３９】
前記リソース要求の肯定応答を受信する手段をさらに具備する請求項３８記載の装置。
【請求項４０】
前記情報は、チャネル品質インジケータ（ＣＱＩ）と、ビームフォーミングメトリックと、チャネル品質に関係する他のメトリック変形体とのうちの少なくとも１つを含む請求項２９記載の装置。
【請求項４１】
前記ＣＱＩに基づいて送信されたダウンリンク（ＤＬ）信号を受信する手段をさらに具備する請求項４０記載の装置。
【請求項４２】
前記ＵＬ信号は、前記装置から、アクセスポイント（ＡＰ）に、または、ピアツーピア適用モードで１つ以上のユーザ端末に送信される１つ以上の信号を含む請求項２９記載の装置。
【請求項４３】
移動デバイスにおいて、
アップリンク（ＵＬ）信号中で伝達すべき情報を示すインデックスを選択するための論理と、
前記インデックスに対応するＮビットのコードシーケンスをＭ個のサブシーケンスに分割するための論理と、
直交周波数分割多重（ＯＦＤＭ）フレーム中の複数のＯＦＤＭシンボルとして、前記Ｍ個のサブシーケンスを送信するように構成されている送信機とを具備する移動デバイス。
【請求項４４】
前記インデックスに対応するＮビットのコードシーケンスを直交位相シフトキーイング（ＱＰＳＫ）スクランブルして、ＵＬ信号を同時に送信している複数のユーザ端末のうちの１つを示すための論理をさらに具備し、前記Ｎビットのコードシーケンスを分割するための論理は、前記ＱＰＳＫスクランブルされたＮビットのコードシーケンスをＭ個のサブシーケンスに分割するための論理を備える請求項４３記載の移動デバイス。
【請求項４５】
前記インデックスは、ウォルシュインデックスであり、前記Ｎビットのコードシーケンスは、ウォルシュシーケンスを含む請求項４３記載の移動デバイス。
【請求項４６】
前記ウォルシュシーケンスは、１０２４ビットのウォルシュシーケンスであり、前記Ｎビットのコードシーケンスを分割するための論理は、前記１０２４ビットのウォルシュシーケンスを６４個のサブシーケンスに分割するように構成されており、各サブシーケンスは、１６個のサンプルを有する請求項４５記載の移動デバイス。
【請求項４７】
前記送信機は、６４個のＯＦＤＭシンボルにわたって送信するように構成されており、１６本の副搬送波が、前記ＯＦＤＭシンボルのそれぞれにおいて使用される請求項４６記載の移動デバイス。
【請求項４８】
前記インデックスと前記Ｎビットのコードシーケンスは、８０２．１１ｂ波形から導出される請求項４３記載の移動デバイス。
【請求項４９】
前記８０２．１１ｂ波形は、バーカーシーケンスまたは修正バーカーシーケンスを含む請求項４８記載の移動デバイス。
【請求項５０】
前記移動デバイスは、ワイヤレスローカルエリアネットワーク（ＷＬＡＮ）システムの一部である請求項４３記載の移動デバイス。
【請求項５１】
前記情報は、既知のパイロットシーケンスを含む請求項４３記載の移動デバイス。
【請求項５２】
前記情報は、リソース要求を含む請求項４３記載の移動デバイス。
【請求項５３】
前記リソース要求の肯定応答を受信するように構成されている受信機をさらに具備する請求項５２記載の移動デバイス。
【請求項５４】
前記情報は、チャネル品質インジケータ（ＣＱＩ）と、ビームフォーミングメトリックと、チャネル品質に関係する他のメトリック変形体とのうちの少なくとも１つを含む請求項４３記載の移動デバイス。
【請求項５５】
前記ＣＱＩに基づいて送信されたダウンリンク（ＤＬ）信号を受信するように構成されている受信機をさらに具備する請求項５４記載の移動デバイス。
【請求項５６】
前記ＵＬ信号は、前記移動デバイスから、アクセスポイント（ＡＰ）に、または、ピアツーピア適用モードで１つ以上のユーザ端末に送信される１つ以上の信号を含む請求項４３記載の移動デバイス。
【請求項５７】
ワイヤレス通信システム中で情報を解釈するための方法において、
複数の直交周波数分割多重（ＯＦＤＭ）シンボルを有するＯＦＤＭフレームに基づくアップリンク（ＵＬ）信号を受信することと、
前記複数のＯＦＤＭシンボルから、Ｎビットのコードシーケンスに対するＭ個のサブシーケンスを抽出することと、
前記Ｍ個のサブシーケンスを基準Ｎビットコードシーケンスと相関させることと、
前記Ｎビットのコードシーケンスに対応するインデックスが前記情報を示すように、前記相関から前記Ｎビットのコードシーケンスを決定することとを含む方法。
【請求項５８】
前記Ｎビットのコードシーケンスは、ＵＬ信号を同時に送信している複数のユーザ端末のうちの１つを示すために直角位相シフトキーイング（ＱＰＳＫ）スクランブルされており、前記Ｎビットのコードシーケンスを決定することは、前記ＱＰＳＫスクランブルされているＮビットのコードシーケンスをスクランブル解除することを含む請求項５７記載の方法。
【請求項５９】
前記インデックスは、ウォルシュインデックスであり、前記Ｎビットのコードシーケンスは、ウォルシュシーケンスを含む請求項５７記載の方法。
【請求項６０】
前記インデックスと前記Ｎビットのコードシーケンスは、８０２．１１ｂ波形から導出される請求項５７記載の方法。
【請求項６１】
前記８０２．１１ｂ波形は、バーカーシーケンスまたは修正バーカーシーケンスを含む請求項６０記載の方法。
【請求項６２】
前記ワイヤレス通信システムは、ワイヤレスローカルエリアネットワーク（ＷＬＡＮ）システムを含む請求項５７記載の方法。
【請求項６３】
前記情報は、既知のパイロットシーケンスを含む請求項５７記載の方法。
【請求項６４】
前記Ｍ個のサブシーケンスを基準Ｎビットコードシーケンスと相関させることは、前記Ｍ個のサブシーケンスのそれぞれと、対応する基準Ｎビットコードシーケンスとの間の相関値を合計することにより、前記基準Ｎビットコードシーケンスのそれぞれに対して１つ、メトリックを計算することを含む請求項５７記載の方法。
【請求項６５】
前記Ｎビットのコードシーケンスを決定することは、
しきい値を前記メトリックと比較することと、
前記しきい値を上回るメトリックに対応する前記基準Ｎビットコードシーケンスを、受信したＮビットのコードシーケンスと考えることとを含む請求項６４記載の方法。
【請求項６６】
前記Ｍ個のサブシーケンスを基準Ｎビットコードシーケンスと相関させることは、
（ａ）前記基準Ｎビットコードシーケンスのうちの１つを選択することと、
（ｂ）前記選択した基準ＮビットコードシーケンスをＭ個の基準サブシーケンスに分割することと、
（ｃ）遅延ｄの整数倍だけ、前記Ｍ個の基準サブシーケンスのそれぞれをサイクリックにシフトすることと、
（ｄ）前記シフトされたＭ個の基準サブシーケンスとの、前記Ｍ個のサブシーケンスのそれぞれの相関値を計算することと、
（ｅ）（ｄ）からの前記相関値を合計して、遅延ｄの現在の整数倍における、前記選択した基準Ｎビットコードシーケンスに対するメトリックを決定することと、
（ｆ）遅延ｄの異なる整数倍だけ、前記Ｍ個の基準サブシーケンスのそれぞれをサイクリックにシフトすることと、
（ｇ）前記選択した基準Ｎビットコードシーケンスに対するメトリックが、予め定められている数のサイクリックシフトに対して決定されるまで、ステップ（ｄ）ないし（ｆ）を繰り返すことと、
（ｈ）前記基準Ｎビットコードシーケンスのうちの異なる１つを選択することと、
（ｉ）すべての前記基準Ｎビットコードシーケンスと、前記予め定められている数のサイクリックシフトとに対して前記メトリックが決定されるまで、ステップ（ｂ）ないし（ｈ）を繰り返すこととを含む請求項５７記載の方法。
【請求項６７】
前記Ｎビットのコードシーケンスを決定することは、
しきい値を前記メトリックと比較することと、
前記しきい値を上回るメトリックに対応する前記基準Ｎビットコードシーケンスを、受信したＮビットのコードシーケンスと考えることとを含む請求項６６記載の方法。
【請求項６８】
前記情報は、リソース要求を含む請求項５７記載の方法。
【請求項６９】
前記リソース要求の肯定応答を送信することをさらに含む請求項６８記載の方法。
【請求項７０】
前記情報は、チャネル品質インジケータ（ＣＱＩ）と、ビームフォーミングメトリックと、チャネル品質に関係する他のメトリック変形体とのうちの少なくとも１つを含む請求項５７記載の方法。
【請求項７１】
前記ＣＱＩに基づいてダウンリンク（ＤＬ）信号を送信することをさらに含む請求項７０記載の方法。
【請求項７２】
ワイヤレス通信システム中で情報を伝達するコンピュータプログラムプロダクトにおいて、
１つ以上のプロセッサにより実行可能な命令を記憶しているコンピュータ読み取り可能記憶媒体を具備し、
前記命令は、
複数の直交周波数分割多重（ＯＦＤＭ）シンボルを有するＯＦＤＭフレームに基づくアップリンク（ＵＬ）信号を受信するための命令と、
前記複数のＯＦＤＭシンボルから、Ｎビットのコードシーケンスに対するＭ個のサブシーケンスを抽出するための命令と、
前記Ｍ個のサブシーケンスを基準Ｎビットコードシーケンスと相関させるための命令と、
前記Ｎビットのコードシーケンスに対応するインデックスが前記情報を示すように、前記相関から前記Ｎビットのコードシーケンスを決定するための命令とを含むコンピュータプログラムプロダクト。
【請求項７３】
前記インデックスは、ウォルシュインデックスであり、前記Ｎビットのコードシーケンスは、ウォルシュシーケンスを含む請求項７２記載のコンピュータプログラムプロダクト。
【請求項７４】
前記インデックスと前記Ｎビットのコードシーケンスは、８０２．１１ｂ波形から導出される請求項７２記載のコンピュータプログラムプロダクト。
【請求項７５】
前記８０２．１１ｂ波形は、バーカーシーケンスまたは修正バーカーシーケンスを含む請求項７４記載のコンピュータプログラムプロダクト。
【請求項７６】
前記ワイヤレス通信システムは、ワイヤレスローカルエリアネットワーク（ＷＬＡＮ）システムを含む請求項７２記載のコンピュータプログラムプロダクト。
【請求項７７】
前記情報は、既知のパイロットシーケンスを含む請求項７２記載のコンピュータプログラムプロダクト。
【請求項７８】
前記Ｍ個のサブシーケンスを基準Ｎビットコードシーケンスと相関させるための命令は、前記Ｍ個のサブシーケンスのそれぞれと、対応する基準Ｎビットコードシーケンスとの間の相関値を合計することにより、前記基準Ｎビットコードシーケンスのそれぞれに対して１つ、メトリックを計算するための命令を含む請求項７２記載のコンピュータプログラムプロダクト。
【請求項７９】
前記Ｎビットのコードシーケンスを決定するための命令は、
しきい値を前記メトリックと比較するための命令と、
前記しきい値を上回るメトリックに対応する前記基準Ｎビットコードシーケンスを、受信したＮビットのコードシーケンスと考えるための命令とを含む請求項７８記載のコンピュータプログラムプロダクト。
【請求項８０】
前記Ｍ個のサブシーケンスを基準Ｎビットコードシーケンスと相関させるための命令は、
（ａ）前記基準Ｎビットコードシーケンスのうちの１つを選択するための命令と、
（ｂ）前記選択した基準ＮビットコードシーケンスをＭ個の基準サブシーケンスに分割するための命令と、
（ｃ）遅延ｄの整数倍だけ、前記Ｍ個の基準サブシーケンスのそれぞれをサイクリックにシフトするための命令と、
（ｄ）前記シフトされたＭ個の基準サブシーケンスとの、前記Ｍ個のサブシーケンスのそれぞれの相関値を計算するための命令と、
（ｅ）（ｄ）からの前記相関値を合計して、遅延ｄの現在の整数倍における、前記選択した基準Ｎビットコードシーケンスに対するメトリックを決定するための命令と、
（ｆ）遅延ｄの異なる整数倍だけ、前記Ｍ個の基準サブシーケンスのそれぞれをサイクリックにシフトするための命令と、
（ｇ）前記選択した基準Ｎビットコードシーケンスに対するメトリックが、予め定められている数のサイクリックシフトに対して決定されるまで、ステップ（ｄ）ないし（ｆ）を繰り返すための命令と、
（ｈ）前記基準Ｎビットコードシーケンスのうちの異なる１つを選択するための命令と、
（ｉ）すべての前記基準Ｎビットコードシーケンスと、前記予め定められている数のサイクリックシフトとに対して前記メトリックが決定されるまで、ステップ（ｂ）ないし（ｈ）を繰り返すための命令とを含む請求項７２記載のコンピュータプログラムプロダクト。
【請求項８１】
前記Ｎビットのコードシーケンスを決定するための命令は、
しきい値を前記メトリックと比較するための命令と、
前記しきい値を上回るメトリックに対応する前記基準Ｎビットコードシーケンスを、受信したＮビットのコードのシーケンスと考えるための命令とを含む請求項８０記載のコンピュータプログラムプロダクト。
【請求項８２】
前記情報は、リソース要求を含む請求項７２記載のコンピュータプログラムプロダクト。
【請求項８３】
前記リソース要求の肯定応答を送信するための命令をさらに含む請求項８２記載のコンピュータプログラムプロダクト。
【請求項８４】
前記情報は、チャネル品質インジケータ（ＣＱＩ）と、ビームフォーミングメトリックと、チャネル品質に関係する他のメトリック変形体とのうちの少なくとも１つを含む請求項７２記載のコンピュータプログラムプロダクト。
【請求項８５】
前記ＣＱＩに基づいてダウンリンク（ＤＬ）信号を送信するための命令をさらに含む請求項８４記載のコンピュータプログラムプロダクト。
【請求項８６】
ワイヤレス通信のための装置において、
複数の直交周波数分割多重（ＯＦＤＭ）シンボルを有するＯＦＤＭフレームに基づくアップリンク（ＵＬ）信号を受信する手段と、
前記複数のＯＦＤＭシンボルから、Ｎビットのコードシーケンスに対するＭ個のサブシーケンスを抽出する手段と、
前記Ｍ個のサブシーケンスを基準Ｎビットコードシーケンスと相関させる手段と、
前記Ｎビットのコードシーケンスに対応するインデックスが、伝達された情報を示すように、前記相関から前記Ｎビットのコードシーケンスを決定する手段とを具備する装置。
【請求項８７】
前記インデックスは、ウォルシュインデックスであり、前記Ｎビットのコードシーケンスは、ウォルシュシーケンスを含む請求項８６記載の装置。
【請求項８８】
前記インデックスと前記Ｎビットのコードシーケンスは、８０２．１１ｂ波形から導出される請求項８６記載の装置。
【請求項８９】
前記８０２．１１ｂ波形は、バーカーシーケンスまたは修正バーカーシーケンスを含む請求項８８記載の装置。
【請求項９０】
前記装置は、ワイヤレスローカルエリアネットワーク（ＷＬＡＮ）システムの一部である請求項８６記載の装置。
【請求項９１】
前記情報は、既知のパイロットシーケンスを含む請求項８６記載の装置。
【請求項９２】
前記Ｍ個のサブシーケンスを基準Ｎビットコードシーケンスと相関させる手段は、前記Ｍ個のサブシーケンスのそれぞれと、対応する基準Ｎビットコードシーケンスとの間の相関値を合計することにより、前記基準Ｎビットコードシーケンスのそれぞれに対して１つ、メトリックを計算する手段を備える請求項８６記載の装置。
【請求項９３】
前記Ｎビットのコードシーケンスを決定する手段は、
しきい値を前記メトリックと比較する手段と、
前記しきい値を上回るメトリックに対応する前記基準Ｎビットコードシーケンスを、受信したＮビットのコードシーケンスと考える手段とを備える請求項９２記載の装置。
【請求項９４】
前記Ｍ個のサブシーケンスを基準Ｎビットコードシーケンスと相関させる手段は、
（ａ）前記基準Ｎビットコードシーケンスのうちの１つを選択し、
（ｂ）前記選択した基準ＮビットコードシーケンスをＭ個の基準サブシーケンスに分割し、
（ｃ）遅延ｄの整数倍だけ、前記Ｍ個の基準サブシーケンスのそれぞれをサイクリックにシフトし、
（ｄ）前記シフトされたＭ個の基準サブシーケンスとの、前記Ｍ個のサブシーケンスのそれぞれの相関値を計算し、
（ｅ）（ｄ）からの前記相関値を合計して、遅延ｄの現在の整数倍における、前記選択した基準Ｎビットコードシーケンスに対するメトリックを決定し、
（ｆ）遅延ｄの異なる整数倍だけ、前記Ｍ個の基準サブシーケンスのそれぞれをサイクリックにシフトし、
（ｇ）前記選択した基準Ｎビットコードシーケンスに対するメトリックが、予め定められている数のサイクリックシフトに対して決定されるまで、ステップ（ｄ）ないし（ｆ）を繰り返し、
（ｈ）前記基準Ｎビットコードシーケンスのうちの異なる１つを選択し、
（ｉ）すべての前記基準Ｎビットコードシーケンスと、前記予め定められている数のサイクリックシフトとに対して前記メトリックが決定されるまで、ステップ（ｂ）ないし（ｈ）を繰り返すように構成されている請求項８６記載の装置。
【請求項９５】
前記Ｎビットのコードシーケンスを決定する手段は、
しきい値を前記メトリックと比較する手段と、
前記しきい値を上回るメトリックに対応する前記基準Ｎビットコードシーケンスを、受信したＮビットのコードシーケンスと考える手段とを備える請求項９４記載の装置。
【請求項９６】
前記情報は、リソース要求を含む請求項８６記載の装置。
【請求項９７】
前記リソース要求の肯定応答を送信する手段をさらに具備する請求項９６記載の装置。
【請求項９８】
前記情報は、チャネル品質インジケータ（ＣＱＩ）と、ビームフォーミングメトリックと、チャネル品質に関係する他のメトリック変形体とのうちの少なくとも１つを含む請求項８６記載の装置。
【請求項９９】
前記ＣＱＩに基づいてダウンリンク（ＤＬ）信号を送信する手段をさらに具備する請求項９８記載の装置。
【請求項１００】
ワイヤレス通信のためのアクセスポイント（ＡＰ）において、
複数の直交周波数分割多重（ＯＦＤＭ）シンボルを有するＯＦＤＭフレームに基づくアップリンク（ＵＬ）信号を受信するように構成されている受信機と、
前記複数のＯＦＤＭシンボルから、Ｎビットのコードシーケンスに対するＭ個のサブシーケンスを抽出するための論理と、
前記Ｍ個のサブシーケンスを基準Ｎビットコードシーケンスと相関させるための論理と、
前記Ｎビットのコードシーケンスに対応するインデックスが、伝達された情報を示すように、前記相関から前記Ｎビットのコードシーケンスを決定するための論理とを具備するアクセスポイント。
【請求項１０１】
前記インデックスは、ウォルシュインデックスであり、前記Ｎビットのコードシーケンスは、ウォルシュシーケンスを含む請求項１００記載のアクセスポイント。
【請求項１０２】
前記インデックスと前記Ｎビットのコードシーケンスは、８０２．１１ｂ波形から導出される請求項１００記載のアクセスポイント。
【請求項１０３】
前記８０２．１１ｂ波形は、バーカーシーケンスまたは修正バーカーシーケンスを含む請求項１０２記載のアクセスポイント。
【請求項１０４】
前記アクセスポイントは、ワイヤレスローカルエリアネットワーク（ＷＬＡＮ）システムの一部である請求項１００記載のアクセスポイント。
【請求項１０５】
前記情報は、既知のパイロットシーケンスを含む請求項１００記載のアクセスポイント。
【請求項１０６】
前記Ｍ個のサブシーケンスを基準Ｎビットコードシーケンスと相関させるための論理は、前記Ｍ個のサブシーケンスのそれぞれと、対応する基準Ｎビットコードシーケンスとの間の相関値を合計することにより、前記基準Ｎビットコードシーケンスのそれぞれに対して１つ、メトリックを計算するように構成されている請求項１００記載のアクセスポイント。
【請求項１０７】
前記Ｎビットのコードシーケンスを決定するための論理は、しきい値を前記メトリックと比較し、前記しきい値を上回るメトリックに対応する前記基準Ｎビットコードシーケンスを、受信したＮビットのコードシーケンスと考えるように構成されている請求項１０６記載のアクセスポイント。
【請求項１０８】
前記Ｍ個のサブシーケンスを基準Ｎビットコードシーケンスと相関させるための論理は、
（ａ）前記基準Ｎビットコードシーケンスのうちの１つを選択し、
（ｂ）前記選択した基準ＮビットコードシーケンスをＭ個の基準サブシーケンスに分割し、
（ｃ）遅延ｄの整数倍だけ、前記Ｍ個の基準サブシーケンスのそれぞれをサイクリックにシフトし、
（ｄ）前記シフトされたＭ個の基準サブシーケンスとの、前記Ｍ個のサブシーケンスのそれぞれの相関値を計算し、
（ｅ）（ｄ）からの前記相関値を合計して、遅延ｄの現在の整数倍における、前記選択した基準Ｎビットコードシーケンスに対するメトリックを決定し、
（ｆ）遅延ｄの異なる整数倍だけ、前記Ｍ個の基準サブシーケンスのそれぞれをサイクリックにシフトし、
（ｇ）前記選択した基準Ｎビットコードシーケンスに対するメトリックが、予め定められている数のサイクリックシフトに対して決定されるまで、ステップ（ｄ）ないし（ｆ）を繰り返し、
（ｈ）前記基準Ｎビットコードシーケンスのうちの異なる１つを選択し、
（ｉ）すべての前記基準Ｎビットコードシーケンスと、前記予め定められている数のサイクリックシフトとに対して前記メトリックが決定されるまで、ステップ（ｂ）ないし（ｈ）を繰り返すように構成されている請求項１００記載のアクセスポイント。
【請求項１０９】
前記Ｎビットのコードシーケンスを決定するための論理は、しきい値を前記メトリックと比較し、前記しきい値を上回るメトリックに対応する前記基準Ｎビットコードシーケンスを、受信したＮビットのコードシーケンスと考えるように構成されている請求項１０８記載のアクセスポイント。
【請求項１１０】
前記情報は、リソース要求を含む請求項１００記載のアクセスポイント。
【請求項１１１】
前記リソース要求の肯定応答を送信するように構成されている送信機をさらに具備する請求項１１０記載のアクセスポイント。
【請求項１１２】
前記情報は、チャネル品質インジケータ（ＣＱＩ）と、ビームフォーミングメトリックと、チャネル品質に関係する他のメトリック変形体とのうちの少なくとも１つを含む請求項１００記載のアクセスポイント。
【請求項１１３】
前記ＣＱＩに基づいてダウンリンク（ＤＬ）信号を送信するように構成されている送信機をさらに具備する請求項１１２記載のアクセスポイント。
【請求項１１４】
ワイヤレス通信システムにおいて、
アップリンク（ＵＬ）信号中で伝達すべき情報を示すインデックスを選択し、前記インデックスに対応するＮビットのコードシーケンスをＭ個のサブシーケンスに分割し、直交周波数分割多重（ＯＦＤＭ）フレーム中の複数のＯＦＤＭシンボルとして、前記Ｍ個のサブシーケンスを送信するように構成されているユーザ端末と、
前記ユーザ端末から前記ＯＦＤＭフレームを受信し、前記ＯＦＤＭフレーム中の複数のＯＦＤＭシンボルから前記Ｍ個のサブシーケンスを抽出し、前記Ｍ個のサブシーケンスを基準Ｎビットコードシーケンスと相関させ、前記Ｎビットのコードシーケンスに対応するインデックスが前記情報を示すように、前記相関から前記Ｎビットのコードシーケンスを決定するように構成されているアクセスポイント（ＡＰ）とを具備するワイヤレス通信システム。
【請求項１１５】
前記インデックスは、ウォルシュインデックスであり、前記Ｎビットのコードシーケンスは、ウォルシュシーケンスを含む請求項１１４記載のシステム。
【請求項１１６】
前記インデックスと前記Ｎビットのコードシーケンスは、８０２．１１ｂ波形から導出される請求項１１４記載のシステム。
【請求項１１７】
前記８０２．１１ｂ波形は、バーカーシーケンスまたは修正バーカーシーケンスを含む請求項１１６記載のシステム。
【請求項１１８】
ワイヤレス通信システムにおいて、
各ユーザ端末が、アップリンク（ＵＬ）信号中で伝達すべき情報を示すインデックスを選択し、前記インデックスに対応するＮビットのコードシーケンスをＭ個のサブシーケンスに分割し、直交周波数分割多重（ＯＦＤＭ）フレーム中の複数のＯＦＤＭシンボルとして、前記Ｍ個のサブシーケンスを送信するように構成されている、複数のユーザ端末と、
前記複数のユーザ端末のそれぞれから前記ＯＦＤＭフレームを受信し、前記ＯＦＤＭフレーム中の複数のＯＦＤＭシンボルから前記Ｍ個のサブシーケンスを抽出し、前記Ｍ個のサブシーケンスを基準Ｎビットコードシーケンスと相関させ、前記Ｎビットのコードシーケンスに対応するインデックスが前記情報を示すように、前記相関から前記Ｎビットのコードシーケンスを決定するように構成されているアクセスポイント（ＡＰ）とを具備するワイヤレス通信システム。
【請求項１１９】
前記複数のユーザ端末は、前記複数のユーザ端末のそれぞれから前記ＯＦＤＭフレームを同時に送信するように構成されている請求項１１８記載のシステム。
【請求項１２０】
前記ＡＰが前記複数のユーザ端末のそれぞれから１つの、複数のＯＦＤＭフレームを同時に受信するように、前記複数のユーザ端末は、前記複数のユーザ端末のそれぞれから前記ＯＦＤＭフレームを送信するように構成されている請求項１１８記載のシステム。
【請求項１２１】
前記複数のユーザ端末は、直交位相シフトキーイング（ＱＰＳＫ）スクランブリングにより区別される請求項１１８記載のシステム。
【発明の詳細な説明】
【関連出願に対する相互参照】
【０００１】
本出願は、２００８年８月２０日に出願され、その全体が参照によりここに組み込まれている、米国仮特許出願シリアル番号第６１／０９０，３７３号の利益を主張する。
【分野】
【０００２】
本開示の実施形態は一般に、ワイヤレス通信に関し、より詳細には、コード分割多元接続（ＣＤＭＡ）を使用して、ワイヤレスローカルエリアネットワーク（ＷＬＡＮ）中で直交周波数分割多重化（ＯＦＤＭ）により情報を送信することに関する。
【背景】
【０００３】
ワイヤレス通信システムに対して要望される帯域幅要求の増加の問題を取り扱うために、同じチャネル（例えば、同じ時間および周波数のリソース）を共有することにより、複数のユーザ端末が単一の基地局と通信することを可能にする一方で、高データスループットを達成するように、異なるスキームが開発されている。空間分割多元接続（ＳＤＭＡ）は、次世代の通信システム向けの人気のある技術として近年登場してきたこのような１つのアプローチを表している。ＳＤＭＡ技術は、ＩＥＥＥ８０２．１１（ＩＥＥＥは、ニューヨーク、３パークアベニュー１７階にある、電気電子学会に対する頭字語である）およびロングタームエボリューション（ＬＴＥ）のような、いくつかの登場しているワイヤレス通信標準規格において採用される可能性がある。
【０００４】
ＳＤＭＡシステムでは、基地局は、同じ周波数を使用して、同時に、複数の移動体ユーザ端末に異なる信号を送信してもよく、または、複数の移動体ユーザ端末から異なる信号を受信してもよい。信頼できるデータ通信を達成するために、ユーザ端末は、十分に異なる方向に配置されている必要がある。基地局において、空間的に分離されている複数のアンテナのうちのそれぞれから、個別の信号を同時に送信してもよい。その結果、合成された送信は指向性を持ち、すなわち、それぞれのユーザ端末に専用の信号は、その特定のユーザ端末の方向においては比較的強く、他のユーザ端末の方向においては非常に弱いことがある。同様に、基地局は、空間的に分離されている複数のアンテナのそれぞれを通して、複数のユーザ端末からの合成された信号を同じ周波数上で同時に受信することができ、複数のアンテナから受信した合成信号は、適切な信号処理技術を適用することにより、それぞれのユーザ端末から送信された個別の信号へと分けることができる。
【０００５】
複数入力複数出力（ＭＩＭＯ）ワイヤレスシステムは、データ送信のために、多数（ＮT本）の送信アンテナと、多数（ＮR本）の受信アンテナとを用いる。ＮT本の送信アンテナとＮR本の受信アンテナとにより形成されるＭＩＭＯチャネルを、ＮS個の空間チャネルに分解してもよい。ここで、すべての実用的な目的に対して、ＮS≦最小値｛ＮT，ＮR｝である。ＮS個の空間チャネルを使用して、ＮS個の独立したデータストリームを送信して、より大きな全スループットを達成してもよい。
【０００６】
ＳＤＭＡに基づく多元接続ＭＩＭＯシステムにおいて、アクセスポイントは、何らかの所定の瞬間において、１つ以上のユーザ端末と通信できる。アクセスポイントが単一のユーザ端末と通信する場合、ＮT本の送信アンテナは、１つの送信エンティティ（アクセスポイントまたはユーザ端末のいずれか）に関係付けられ、ＮR本の受信アンテナは、１つの受信エンティティ（ユーザ端末またはアクセスポイントのいずれか）に関係付けられる。アクセスポイントはまた、ＳＤＭＡにより、同時に複数のユーザ端末と通信できる。ＳＤＭＡに対して、アクセスポイントは、データの送信および受信に対して複数のアンテナを利用し、ユーザ端末のそれぞれは、通常、データの送信および受信に対して、アクセスポイントのアンテナの数よりも少ない数のアンテナを利用する。ＳＤＭＡがアクセスポイントから送信されるとき、ＮS≦最小値｛ＮT，合計（ＮR）｝であり、ここで、合計（ＮR）は、すべてのユーザ端末の受信アンテナの合計を表す。ＳＤＭＡがアクセスポイントに送信されるとき、ＮS≦最小値｛合計（ＮT），ＮR｝であり、ここで、合計（ＮT）は、すべてのユーザ端末の送信アンテナの合計を表す。
【概要】
【０００７】
本開示のいくつかの実施形態は、ワイヤレス通信システム中で情報を伝達するための方法を提供する。方法は一般に、アップリンク（ＵＬ）信号中で伝達すべき情報を示すインデックスを選択することと、インデックスに対応するＮビットのコードシーケンスをＭ個のサブシーケンスに分割することと、直交周波数分割多重（ＯＦＤＭ）フレーム中の複数のＯＦＤＭシンボルとして、Ｍ個のサブシーケンスを送信することとを含む。
【０００８】
本開示のいくつかの実施形態は、ワイヤレス通信システム中で情報を伝達するコンピュータプログラムプロダクトを提供する。コンピュータプログラムプロダクトは通常、１つ以上のプロセッサにより実行可能な命令を記憶しているコンピュータ読み取り可能記憶媒体を備える。命令は一般に、ＵＬ信号中で伝達すべき情報を示すインデックスを選択するための命令と、インデックスに対応するＮビットのコードシーケンスをＭ個のサブシーケンスに分割するための命令と、ＯＦＤＭフレーム中の複数のＯＦＤＭシンボルとして、Ｍ個のサブシーケンスを送信するための命令とを含む。
【０００９】
本開示のいくつかの実施形態は、ワイヤレス通信のための装置を提供する。装置は一般に、ＵＬ信号中で伝達すべき情報を示すインデックスを選択する手段と、インデックスに対応するＮビットのコードシーケンスをＭ個のサブシーケンスに分割する手段と、ＯＦＤＭフレーム中の複数のＯＦＤＭシンボルとして、Ｍ個のサブシーケンスを送信する手段とを備える。
【００１０】
本開示のいくつかの実施形態は、移動デバイスを提供する。移動デバイスは一般に、ＵＬ信号中で伝達すべき情報を示すインデックスを選択するための論理と、インデックスに対応するＮビットのコードシーケンスをＭ個のサブシーケンスに分割するための論理と、
ＯＦＤＭフレーム中の複数のＯＦＤＭシンボルとして、Ｍ個のサブシーケンスを送信するための送信機とを備える。
【００１１】
本開示のいくつかの実施形態は、ワイヤレス通信システムを提供する。システムは一般に、ＵＬ信号中で伝達すべき情報を示すインデックスを選択し、インデックスに対応するＮビットのコードシーケンスをＭ個のサブシーケンスに分割し、ＯＦＤＭフレーム中の複数のＯＦＤＭシンボルとして、Ｍ個のサブシーケンスを送信するように構成されているユーザ端末と、ユーザ端末から前記ＯＦＤＭフレームを受信し、ＯＦＤＭフレーム中の複数のＯＦＤＭシンボルからＭ個のサブシーケンスを抽出し、Ｍ個のサブシーケンスを基準Ｎビットコードシーケンスと相関させ、Ｎビットのコードシーケンスに対応するインデックスが情報を示すように、相関からＮビットのコードシーケンスを決定するように構成されているアクセスポイント（ＡＰ）とを備える。
【００１２】
本開示のいくつかの実施形態は、ワイヤレス通信システムを提供する。システムは一般に、各ユーザ端末が、ＵＬ信号中で伝達すべき情報を示すインデックスを選択し、インデックスに対応するＮビットのコードシーケンスをＭ個のサブシーケンスに分割し、ＯＦＤＭフレーム中の複数のＯＦＤＭシンボルとして、Ｍ個のサブシーケンスを送信するように構成されている、複数のユーザ端末と、複数のユーザ端末のそれぞれからＯＦＤＭフレームを受信し、ＯＦＤＭフレーム中の複数のＯＦＤＭシンボルからＭ個のサブシーケンスを抽出し、Ｍ個のサブシーケンスを基準Ｎビットコードシーケンスと相関させ、Ｎビットのコードシーケンスに対応するインデックスが情報を示すように、相関からＮビットのコードシーケンスを決定するように構成されているＡＰとを備える。
【００１３】
本開示のいくつかの実施形態は、ワイヤレス通信システム中で情報を解釈するための方法を提供する。方法は一般に、複数のＯＦＤＭシンボルを有するＯＦＤＭフレームに基づくＵＬ信号を受信することと、複数のＯＦＤＭシンボルから、Ｎビットのコードシーケンスに対するＭ個のサブシーケンスを抽出することと、Ｍ個のサブシーケンスを基準Ｎビットコードシーケンスと相関させることと、Ｎビットのコードシーケンスに対応するインデックスが情報を示すように、相関からＮビットのコードシーケンスを決定することとを含む。
【００１４】
本開示のいくつかの実施形態は、ワイヤレス通信システム中で情報を伝達するコンピュータプログラムプロダクトを提供する。コンピュータプログラムプロダクトは通常、１つ以上のプロセッサにより実行可能な命令を記憶しているコンピュータ読み取り可能記憶媒体を備える。命令は一般に、複数のＯＦＤＭシンボルを有するＯＦＤＭフレームに基づくＵＬ信号を受信するための命令と、複数のＯＦＤＭシンボルから、Ｎビットのコードシーケンスに対するＭ個のサブシーケンスを抽出するための命令と、Ｍ個のサブシーケンスを基準Ｎビットコードシーケンスと相関させるための命令と、Ｎビットのコードシーケンスに対応するインデックスが情報を示すように、相関からＮビットのコードシーケンスを決定するための命令とを含む。
【００１５】
本開示のいくつかの実施形態は、ワイヤレス通信のための装置を提供する。装置は一般に、複数のＯＦＤＭシンボルを有するＯＦＤＭフレームに基づくＵＬ信号を受信する手段と、複数のＯＦＤＭシンボルから、Ｎビットのコードシーケンスに対するＭ個のサブシーケンスを抽出する手段と、Ｍ個のサブシーケンスを基準Ｎビットコードシーケンスと相関させる手段と、Ｎビットのコードシーケンスに対応するインデックスが、伝達された情報を示すように、相関からＮビットのコードシーケンスを決定する手段とを備える。
【００１６】
本開示のいくつかの実施形態は、ワイヤレス通信のためのアクセスポイント（ＡＰ）を提供する。アクセスポイントは一般に、複数のＯＦＤＭシンボルを有するＯＦＤＭフレームに基づくＵＬ信号を受信するように構成されている受信機と、複数のＯＦＤＭシンボルから、Ｎビットのコードシーケンスに対するＭ個のサブシーケンスを抽出するための論理と、Ｍ個のサブシーケンスを基準Ｎビットコードシーケンスと相関させるための論理と、Ｎビットのコードシーケンスに対応するインデックスが、伝達された情報を示すように、相関からＮビットのコードシーケンスを決定するための論理とを備える。
【図面の簡単な説明】
【００１７】
詳細な説明、より特定の記述、先に述べた簡潔な概要において、先に列挙した本開示の特徴を理解できる方法を、実施形態への参照により有することができるように、実施形態のいくつかは、添付図面により説明されている。しかしながら、添付図面は、本開示のいくつかの典型的な実施形態だけを説明し、それゆえに、その範囲の限定と考えるべきではなく、記述に対して、他の同様に効果的な実施形態を認めてもよいことに注目すべきである。
【図１】図１は、本開示のいくつかの実施形態にしたがった、空間分割多元接続（ＳＤＭＡ）多入力多出力（ＭＩＭＯ）ワイヤレスシステムを図示する。
【図２】図２は、本開示のいくつかの実施形態にしたがった、アクセスポイント（ＡＰ）と、２つのユーザ端末とのブロック図を図示する。
【図３】図３は、本開示のいくつかの実施形態にしたがった、ワイヤレスデバイス中で利用できるさまざまなコンポーネントを図示する。
【図４】図４は、本開示のいくつかの実施形態にしたがった、ユーザ端末の観点からの、コード分割多元接続（ＣＤＭＡ）を使用してワイヤレス通信システム中で情報を伝達するための例示的な動作のフロー図である。
【図４Ａ】図４Ａは、本開示のいくつかの実施形態にしたがった、ユーザ端末の観点からの、ＣＤＭＡを使用してワイヤレス通信システム中で情報を伝達するための図４の例示的な動作に対応する手段のブロック図である。
【図５】図５は、本開示のいくつかの実施形態にしたがって、ＣＤＭＡ情報を直交周波数分割多重（ＯＦＤＭ）シンボルに変換することを図示する。
【図６】図６は、本開示のいくつかの実施形態にしたがった、ＣＤＭＡを使用して、チャネル品質インジケータ（ＣＱＩ）およびリソース要求を伝達するアーキテクチャのブロック図である。
【図７】図７は、本開示のいくつかの実施形態にしたがった、アクセスポイント（ＡＰ）の観点からの、ワイヤレス通信システム中でＣＤＭＡを使用して送られた情報を解釈するための例示的な動作のフロー図である。
【図７Ａ】図７Ａは、本開示のいくつかの実施形態にしたがった、ＡＰの観点からの、ワイヤレス通信システム中でＣＤＭＡを使用して送られた情報を解釈するための図７の例示的な動作に対応する手段のブロック図である。
【図８】図８は、本開示のいくつかの実施形態にしたがって、ＯＦＤＭによりウォルシュコードシーケンスを送信および受信することを図示する。
【図９】図９は、本開示のいくつかの実施形態にしたがった、メトリックマトリックスを図示する。
【図１０】図１０は、本開示のいくつかの実施形態にしたがって、メトリックマトリックスを計算することと、マトリックスをしきい値処理することと、しきい値マトリックスに基づいて、ワイヤレス通信システム中のユーザ端末およびＡＰ間の遅延を決定することとを図示する。
【図１１】図１１は、本開示のいくつかの実施形態にしたがった、ユーザ端末の観点からの、ＣＤＭＡを使用して情報を送ることに基づく、ワイヤレス通信システム中でのレンジングのための例示的な動作のフロー図である。
【図１１Ａ】図１１Ａは、本開示のいくつかの実施形態にしたがった、ユーザ端末の観点からの、ＣＤＭＡを使用して情報を送ることに基づく、ワイヤレス通信システム中でのレンジングのための例示的な動作に対応する手段のブロック図である。
【図１２】図１２は、本開示のいくつかの実施形態にしたがった、ＡＰの観点からの、ＣＤＭＡを使用して送られた情報に基づいて、ワイヤレス通信システム中でレンジングするための例示的な動作のフロー図である。
【図１２Ａ】図１２Ａは、本開示のいくつかの実施形態にしたがった、ＡＰの観点からの、ＣＤＭＡを使用して送られた情報に基づいて、ワイヤレス通信システム中でレンジングするための図１２の例示的な動作に対応する手段のブロック図である。
【図１３】図１３は、本開示のいくつかの実施形態にしたがった、ユーザ端末およびＡＰ間の遅延を示すピークを有する、異なるウォルシュインデックスにおける相関メトリックのグラフを図示する。
【詳細な説明】
【００１８】
本開示のいくつかの実施形態は、例えば、多数のユーザ端末をサポートする一方で、衝突を回避するために、コード分割多元接続（ＣＤＭＡ）を使用して、直交周波数分割多重（ＯＦＤＭ）により、ワイヤレスローカルエリアネットワーク（ＷＬＡＮ）中でユーザ端末からアクセスポイント（ＡＰ）に情報を伝達する技術および装置を提供する。このＣＤＭＡベースのスキームは、多数のユーザ端末からＵＬ信号を送信する従来の技術と比較したときに、多数の利点を提供できる。最初に、使用されるスロットの数に関する効率を上げることができる。さらに、このスキームは、多数のユーザ端末に対してスケーラブルであり、サポートできるユーザの数に関してソフトな制限を有することができる。さらに、このＣＤＭＡベースのスキームは、周波数オフセットに対してより大きな許容を提供でき、レンジングおよび電力制御に対して利用できる。
【００１９】
語“例示的な”は、ここでは、“例、事例、または、例示として役割を果たす”ことを意味するように使用する。“例示的な”としてここで説明する何らかの実施形態は、必ずしも、他の実施形態より好ましい、あるいは、他の実施形態より利点があるものとして解釈すべきではない。また、ここで使用するとき、用語“レガシー局”は一般に、８０２．１１ｎ、または、ＩＥＥＥ８０２．１１標準規格の以前のバージョンをサポートするワイヤレスネットワークノードを指す。
【００２０】
ここで記述するマルチアンテナ送信技術は、コード分割多元接続（ＣＤＭＡ）、直交周波数分割多重（ＯＦＤＭ）、時分割多元接続（ＴＤＭＡ）などのような、さまざまなワイヤレス技術と組み合せて使用できる。複数のユーザ端末が、（１）ＣＤＭＡに対する異なる直交コードチャネル、（２）ＴＤＭＡに対する異なるタイムスロット、または、（３）ＯＦＤＭに対する異なる副帯域、によりデータを同時に送信／受信できる。ＣＤＭＡシステムは、ＩＳ−２０００、ＩＳ−９５、ＩＳ−８５６、広帯域−ＣＤＭＡ（Ｗ−ＣＤＭＡ）、または、他の何らかの標準規格を実現できる。ＯＦＤＭシステムは、ＩＥＥＥ８０２．１１または他の何らかの標準規格を実現できる。ＴＤＭＡシステムは、ＧＳＭ（登録商標）または他の何らかの標準規格を実現できる。これらのさまざまな標準規格は、技術的に知られている。
【００２１】
例示的なＭＩＭＯシステム
図１は、アクセスポイントと、ユーザ端末とを有する多元接続ＭＩＭＯシステム１００を示す。簡単にするために、１つのアクセスポイント１１０だけを図１中で示している。アクセスポイント（ＡＰ）は一般的に、ユーザ端末と通信する固定局であり、基地局または他の何らかの専門用語として呼ぶこともある。ユーザ端末は、固定または移動性のものであってもよく、移動局、局（ＳＴＡ）、クライアント、ワイヤレスデバイス、または、他の何らかの専門用語として呼ぶこともある。ユーザ端末は、セルラ電話機や、パーソナルデジタルアシスタント（ＰＤＡ）や、ハンドヘルドデバイスや、ワイヤレスモデムや、ラップトップコンピュータや、パーソナルコンピュータなどのようなワイヤレスデバイスであってもよい。
【００２２】
アクセスポイント１１０は、何らかの所定の瞬間において、ダウンリンクおよびアップリンク上で、１つ以上のユーザ端末１２０と通信することがある。ダウンリンク（すなわち、フォワードリンク）は、アクセスポイントからユーザ端末への通信リンクであり、アップリンク（すなわち、リバースリンク）は、ユーザ端末からアクセスポイントへの通信リンクである。ユーザ端末はまた、別のユーザ端末とピアツーピア通信してもよい。システム制御装置１３０がアクセスポイントに結合し、アクセスポイントに対して調整および制御を提供する。
【００２３】
以下の開示の部分は、空間分割多元接続（ＳＤＭＡ）により通信できるユーザ端末１２０を記述するが、いくつかの実施形態に対して、ユーザ端末１２０はまた、ＳＤＭＡをサポートしないいくつかのユーザ端末を含んでいてもよい。したがって、そのような実施形態に対して、ＡＰ１１０は、ＳＤＭＡおよび非ＳＤＭＡの両方のユーザ端末と通信するように構成されていてもよい。このアプローチは、都合のよいことには、ユーザ端末のより古いバージョン（“レガシー局”）が依然として企業において展開され、それらの耐用寿命を延ばすことを可能にし、一方、適切と思われる場合には、より新しいＳＤＭＡユーザ端末を導入することを可能にする。
【００２４】
システム１００は、ダウンリンクおよびアップリンク上でのデータ送信のために、複数の送信アンテナと、複数の受信アンテナとを用いる。アクセスポイント１１０には、Ｎap本のアンテナが装備されており、アクセスポイント１１０は、ダウンリンク送信に対する多入力（ＭＩ）と、アップリンク送信に対する多出力（ＭＯ）とを表す。１組のＮu個の選択されたユーザ端末１２０は集合的に、ダウンリンク送信に対する多出力と、アップリンク送信に対する多入力とを表す。純粋なＳＤＭＡに対して、Ｎu個のユーザ端末に対するデータシンボルストリームが、何らかの手段により、コード、周波数、または時間において多重化されていない場合、Ｎap≧Ｎu≧１を有することが望まれる。データシンボルストリームが、ＣＤＭＡによる異なるコードチャネル、ＯＦＤＭによる、共通要素を持たない１組の副帯域などを使用して多重化できる場合、ＮuはＮapより大きくてもよい。選択された各ユーザ端末は、アクセスポイントにユーザ固有のデータを送信し、および／または、アクセスポイントからユーザ固有のデータを受信する。一般に、選択された各ユーザ端末には、１本以上のアンテナ（すなわち、Ｎut≧１）が装備されていてもよい。Ｎu個の選択されたユーザ端末は、同じ、または、異なる数のアンテナを有することができる。
【００２５】
ＭＩＭＯシステム１００は、時分割複信（ＴＤＤ）システムまたは周波数分割複信（ＦＤＤ）システムであってもよい。ＴＤＤシステムに対して、ダウンリンクおよびアップリンクは同じ周波数帯域を共用する。ＦＤＤシステムに対して、ダウンリンクおよびアップリンクは、異なる周波数帯域を使用する。ＭＩＭＯシステム１００は、送信に対して、単一の搬送波または複数の搬送波を利用してもよい。各ユーザ端末には、（例えば、コストを増やさないために）単一のアンテナまたは（例えば、付加的なコストをサポートできる場合には）複数のアンテナが装備されていてもよい。
【００２６】
図２は、ＭＩＭＯシステム１００における、アクセスポイント１１０と、２つのユーザ端末１２０ｍおよび１２０ｘとのブロック図を示している。アクセスポイント１１０には、Ｎap本のアンテナ２２４ａないし２２４ａｐが装備されている。ユーザ端末１２０ｍには、Ｎut,m本のアンテナ２５２ｍａないし２５２ｍｕが装備されており、ユーザ端末１２０ｘには、Ｎut,x本のアンテナ２５２xａないし２５２xｕが装備されている。アクセスポイント１１０は、ダウンリンクに対する送信エンティティであり、アップリンクに対する受信エンティティである。各ユーザ端末１２０は、アップリンクに対する送信エンティティであり、ダウンリンクに対する受信エンティティである。ここで使用するとき、“送信エンティティ”は、ワイヤレスチャネルによりデータを送信できる、独立して作動する装置またはデバイスであり、“受信エンティティ”は、ワイヤレスチャネルによりデータを受信できる、独立して作動する装置またはデバイスである。以下の記述において、添え字“ｄｎ”は、ダウンリンクを表し、添え字“ｕｐ”は、アップリンクを表し、Ｎup個のユーザ端末が、アップリンク上での同時の送信に対して選択され、Ｎdn個のユーザ端末が、ダウンリンク上での同時の送信に対して選択される。Ｎupは、Ｎdnと等しくてもよく、または等しくなくてもよい。ＮupおよびＮdnは、静的な値であってもよく、または、各スケジューリング間隔に対して変更できる。ビームステアリングまたは他の何らかの空間処理技術を、アクセスポイントおよびユーザ端末において使用してもよい。
【００２７】
アップリンク上で、アップリンク送信に対して選択された各ユーザ端末１２０において、ＴＸデータプロセッサ２８８は、データ源２８６からトラフィックデータと、制御装置２８０から制御データとを受け取る。ＴＸデータプロセッサ２８８は、ユーザ端末に対して選択されたレートに関係付けられているコーディングおよび変調スキームに基づいて、ユーザ端末に対するトラフィックデータ｛ｄup,m｝を処理して（例えば、エンコードし、インターリーブし、変調する）、データシンボルストリーム｛ｓup,m｝を提供する。ＴＸ空間プロセッサ２９０は、データシンボルストリーム｛ｓup,m｝に対して空間処理を実行して、Ｎut,m本のアンテナに対するＮut,m個の送信シンボルストリームを提供する。各送信機ユニット（ＴＭＴＲ）２５４は、それぞれの送信シンボルストリームを受け取って処理して（例えば、アナログに変換し、増幅し、フィルタリングし、周波数アップ変換する）、アップリンク信号を発生させる。Ｎut,m台の送信機ユニット２５４は、Ｎut,m本のアンテナ２５２からアクセスポイント１１０への送信のために、Ｎut,m個のアップリンク信号を提供する。
【００２８】
アップリンク上での同時の送信に対して、Ｎup個のユーザ端末をスケジュールしてもよい。これらのユーザ端末のそれぞれは、そのデータシンボルストリームに対して空間処理を実行して、アップリンク上で、その１組の送信シンボルストリームをアクセスポイントに送信する。
【００２９】
アクセスポイント１１０において、Ｎap本のアンテナ２２４ａないし２２４ａｐが、アップリンク上で送信しているすべてのＮup個のユーザ端末からのアップリンク信号を受信する。各アンテナ２２４は、受信信号をそれぞれの受信機ユニット（ＲＣＶＲ）２２２に提供する。各受信機ユニット２２２は、送信機ユニット２５４により実行された処理と相補的な処理を実行して、受信シンボルストリームを提供する。ＲＸ空間プロセッサ２４０が、Ｎap台の受信機ユニット２２２からのＮap個の受信シンボルストリームに対して受信機空間処理を実行して、Ｎup個の復元されたアップリンクデータシンボルストリームを提供する。受信機空間処理は、チャネル相関マトリックス反転（ＣＣＭＩ）、最小平均二乗誤差（ＭＭＳＥ）、逐次干渉除去（ＳＩＣ）、または、他の何らかの技術にしたがって実行される。復元された各アップリンクデータシンボルストリーム｛ｓup,m｝は、それぞれのユーザ端末により送信されたデータシンボルストリーム｛ｓup,m｝の推定である。ＲＸデータプロセッサ２４２が、復元された各アップリンクデータシンボルストリーム｛ｓup,m｝に対して使用されるレートにしたがって、そのストリームを処理して（例えば、復調し、デインターリーブし、デコードする）、デコードされたデータを取得する。各ユーザ端末に対する、デコードされたデータを、記憶のためにデータシンク２４４に提供してもよく、および／または、さらなる処理のために制御装置２３０に提供してもよい。
【００３０】
ダウンリンク上で、アクセスポイント１１０において、ＴＸデータプロセッサ２１０が、データ源２０８から、ダウンリンク送信に対してスケジュールされる、Ｎdn個のユーザ端末に対するトラフィックデータと、制御装置２３０から制御データと、ことによると、スケジューラ２３４から他のデータとを受け取る。さまざまなタイプのデータを異なるトランスポートチャネル上で送ってもよい。ＴＸデータプロセッサ２１０は、各ユーザ端末に対して選択されたレートに基づいて、そのユーザ端末に対するトラフィックデータを処理する（例えば、エンコードし、インターリーブし、変調する）。ＴＸデータプロセッサ２１０は、Ｎdn個のユーザ端末に対するＮdn個のダウンリンクデータシンボルストリームを提供する。ＴＸ空間プロセッサ２２０が、Ｎdn個のダウンリンクデータシンボルストリームに対して空間処理を実行して、Ｎap本のアンテナに対するＮap個の送信シンボルストリームを提供する。各送信機ユニット（ＴＭＴＲ）２２２が、それぞれの送信シンボルストリームを受け取って処理して、ダウンリンク信号を発生させる。Ｎap台の送信機ユニット２２２は、Ｎap本のアンテナ２２４からユーザ端末への送信のために、Ｎap個のダウンリンク信号を提供する。
【００３１】
各ユーザ端末１２０において、Ｎut,m本のアンテナ２５２が、アクセスポイント１１０からＮap個のダウンリンク信号を受信する。各受信機ユニット（ＲＣＶＲ）２５４が、関連するアンテナ２５２からの受信信号を処理して、受信シンボルストリームを提供する。ＲＸ空間プロセッサ２６０が、Ｎut,m台の受信機ユニット２５４からのＮut,m個の受信シンボルストリームに対して受信機空間処理を実行して、ユーザ端末に対する、復元されたダウンリンクデータシンボルストリーム｛ｓdn,m｝を提供する。受信機空間処理は、ＣＣＭＩ、ＭＭＳＥ、または、他の何らかの技術にしたがって実行される。ＲＸデータプロセッサ２７０が、復元されたダウンリンクデータシンボルストリームを処理して（例えば、復調し、デインターリーブし、デコードする）、ユーザ端末に対する、デコードされたデータを取得する。
【００３２】
各ユーザ端末１２０において、Ｎut,m個のアンテナ２５２が、アクセスポイント１１０からＮap個のダウンリンク信号を受信する。各受信機ユニット（ＲＣＶＲ）２５４が、関連するアンテナ２５２からの受信信号を処理して、受信シンボルストリームを提供する。ＲＸ空間プロセッサ２６０が、Ｎut,m台の受信機ユニット２５４からのＮut,m個の受信シンボルストリームに対して受信機空間処理を実行して、ユーザ端末に対する、復元されたダウンリンクデータシンボルストリーム｛ｓdn,m｝を提供する。受信機空間処理は、ＣＣＭＩ、ＭＭＳＥ、または、他の何らかの技術にしたがって実行される。ＲＸデータプロセッサ２７０が、復元されたダウンリンクデータシンボルストリームを処理して（例えば、復調し、デインターリーブし、デコードする）、ユーザ端末に対する、デコードされたデータを取得する。
【００３３】
図３は、システム１００内で用いてもよいワイヤレスデバイス３０２中で利用してもよい、さまざまなコンポーネントを図示する。ワイヤレスデバイス３０２は、ここで記述するさまざまな方法を実現するように構成されていてもよいデバイスの例である。ワイヤレスデバイス３０２は、アクセスポイント１１０またはユーザ端末１２０であってもよい。
【００３４】
ワイヤレスデバイス３０２は、ワイヤレスデバイス３０２の動作を制御するプロセッサ３０４を含んでいてもよい。プロセッサ３０４はまた、中央処理ユニット（ＣＰＵ）と呼ばれることもある。読み出し専用メモリ（ＲＯＭ）およびランダムアクセスメモリ（ＲＡＭ）の両方を含んでいてもよいメモリ３０６が、命令およびデータをプロセッサ３０４に提供する。メモリ３０６の一部は、不揮発性ランダムアクセスメモリ（ＮＶＲＡＭ）を含んでいてもよい。プロセッサ３０４は通常、メモリ３０６内に記憶されているプログラム命令に基づいて、論理演算および算術演算を実行する。メモリ３０６中の命令は、ここで記述する方法を実現するように実行可能であってもよい。
【００３５】
ワイヤレスデバイス３０２はまた、筐体３０８を備えていてもよく、筐体３０８は、ワイヤレスデバイス３０２と遠隔地との間でデータの送信および受信を可能にする送信機３１０および受信機３１２を含んでいてもよい。送信機３１０および受信機３１２をトランシーバ３１４にまとめてもよい。複数の送信アンテナ３１６が筐体３０８に取り付けられて、トランシーバ３１４に電気的に結合されていてもよい。ワイヤレスデバイス３０２はまた、（示していない）複数の送信機、複数の受信機、および、複数のトランシーバを含んでいてもよい。
【００３６】
ワイヤレスデバイス３０２はまた、信号検出器３０８を含んでいてもよく、信号検出器３１８を使用して、トランシーバ３１４により受信した信号のレベルを検出および定量化してもよい。信号検出器３１８は、総エネルギーや、シンボル当たりの副搬送波毎のエネルギーや、電力スペクトル密度のような信号、および、他の信号を検出してもよい。ワイヤレスデバイス３０２はまた、信号を処理する際に使用するデジタル信号プロセッサ（ＤＳＰ）３２０を含んでいてもよい。
【００３７】
ワイヤレスデバイス３０２のさまざまなコンポーネントを、バスシステム３２２により互いに結合してもよく、バスシステム３２２は、データバスに加えて、電力バスと、制御信号バスと、ステータス信号バスとを含んでいてもよい。
【００３８】
ＣＤＭＡを使用してＷＬＡＮ中でアップリンク信号を送信
将来のワイヤレスローカルエリアネットワーク（ＷＬＡＮ）システムにおいて、ユーザ端末は、すべてのアップリンクＳＤＭＡ送信の前に、リソースを要求することが必要とされるかもしれない。端末において、アクセスポイント（ＡＰ）のフィードバックを有さないコンテンションベースのスキームを使用してもよいが、このスキームは、ある数の要求を取得するのにかかる時間の点で非効率である。これは、多数のスロットが、少数の衝突を保証するのに必要とされるからである。ＡＰフィードバックを有するスキームは、衝突を考慮することができるが、ほとんどのユーザがリソースを要求しないとき、依然として効率的でない。
【００３９】
さらに、同時にネットワークにアクセスすることを試みる複数のユーザ端末は、ワイヤレス通信システムに対して、より詳細には、ＡＰに対して、問題を引き起こす。例えば、同時に、ＡＰにおいて、複数のユーザ端末を時間同期させることが望まれる。チャネル上で小さい数の情報ビットを送る能力も望まれるかもしれない。例えば、リソースに対する要求（ＲＥＱ）を搬送する割振り指示（ＡＩ）を送るために、この情報を使用してもよい。別の例として、情報は、チャネル品質インジケータ（ＣＱＩ）情報を含んでいてもよい。さらに別の例として、パイロットシーケンスを送ることにより、ＡＰにおけるチャネル推定を実行してもよい。
【００４０】
したがって、必要なものは、多数のユーザに十分対応し、あまり多くのオーバーヘッドを招かない、多元接続スキームに対する技術および装置である。
【００４１】
１つのオプションは、直交周波数分割多元接続（ＯＦＤＭＡ）を使用することであるかもしれない。ＯＦＤＭＡでは、各ユーザ端末は、周波数リソースの専用ブロックを取得し、ダイバーシティの問題のために、同時にシステムにアクセスできるユーザ端末の数を制限する傾向がある。６４個のユーザ端末の例に対して、１つのトーンを各ユーザ端末に割り当てることは、非常に乏しいダイバーシティをもたらす。また、ＡＰは、各ユーザ端末が送信のために使用する周波数ブロックを伝達する必要がある。さらに、ブロックサイズが固定されており、かつ、ユーザ端末がそこに存在しない場合、ブロックは、単に浪費されるリソースである。
【００４２】
第２のオプションは、アップリンク情報を送信するためにＣＤＭＡを使用することである。ＣＤＭＡでは、ユーザ端末は、信号対干渉プラスノイズ比（ＳＩＮＲ）の劣化を犠牲にして十分な自由度を取得できる。しかしながら、利得を処理することにより、何らかのＳＩＮＲの劣化を補償し得る。さらに、送信しない１つのユーザ端末は、干渉レベルの低下をもたらすことにより、他のすべてのユーザの利益になる。これは、ユーザ端末の数によりグレースフルデグラデーションを招来する可能性がある。言い換えれば、ＣＤＭＡベースのスキームは、少数のユーザ端末を有することにあえぐことなく、比較的少数のスロット中で多数のユーザ端末をサポートできる。さらに、ＣＤＭＡソリューションでは、いかなるスケジューリング情報も必要としない。
【００４３】
それゆえに、本開示のいくつかの実施形態の背後にある基本的なメカニズムは、ＣＤＭＡを用いるユーザ端末が、ＣＤＭＡ制御機会と呼ばれる期間中に要求／レンジングメッセージを送信することを伴う。ＡＰは、ある数のサンプルによりタイミングを進める、または遅らせることをユーザ端末に伝えることにより応答でき、また、リソース割振りに対するフィードバックを送ることができる。送られる情報は、リソース要求（ＲＥＱ）、チャネル品質インジケータ（ＣＱＩ）、ビームフォーミングメトリック、または、チャネル品質に関係する他のメトリック変形体のような、何らかの適切なアップリンクメッセージを含んでいてもよい。いくつかの実施形態に対して、情報は、既知のパイロットシーケンスであってもよい。異なるインデックス（例えば、ウォルシュインデックス）を用いることにより、ＣＱＩまたはＲＥＱの異なる値を伝達してもよく、ここで、各インデックスは、異なるＣＱＩまたはＲＥＱの値を参照する。
【００４４】
本開示の実施形態は、ウォルシュシーケンスおよびウォルシュインデックスを参照するが、何らかの適切な、Ｎビットのコードシーケンスと、対応するインデックスとを使用してもよい。例えば、いくつかの実施形態は、ＩＥＥＥ８０２．１１ｂ波形からＮビットコードシーケンスを導出してもよい。別の例として、いくつかの実施形態は、バーカーシーケンスまたは修正バーカーシーケンスを使用してもよい。
【００４５】
さらに、複数のユーザ端末が、同時に情報を送信する可能性があることから、直角位相シフトキーイング（ＱＰＳＫ）スクランブリングにより、ユーザ端末を区別してもよい。言い換えれば、ウォルシュシーケンスを選択した後に、ウォルシュシーケンスに複素ＱＰＳＫスクランブリングシーケンスを乗算してもよい。スクランブリングシーケンスを発生させるために使用されるスクランブリングシードは、局のＩＤに依存していていもよい（すなわち、ユーザ端末の識別番号に依存する）。
【００４６】
図４は、ＣＤＭＡを使用してワイヤレス通信システム中で情報を伝達するための、ユーザ端末の観点からの、例示的な動作４００のフロー図である。４１０において、動作４００は、アップリンク（ＵＬ）信号中で伝達すべき情報を示すウォルシュインデックスを選択することにより、開始してもよい。伝達すべき情報は、チャネル品質インジケータ（ＣＱＩ）またはリソース要求（ＲＥＱ）のような、何らかの適切なＵＬ情報であってもよい。ＵＬ信号は、（インフラストラクチャモードの展開において）ユーザ端末１２０からＡＰ１１０に、または、（ピアツーピア適用モードまたはアドホック展開において）１つのＳＴＡから他の１つ以上のＳＴＡに送信された１つ以上の信号を含んでいてもよい。
【００４７】
４２０において、ウォルシュインデックスに対応するＮビットのウォルシュコードシーケンスを、Ｍ個のウォルシュコードサブシーケンスに分割してもよい。４３０において、直交周波数分割多重（ＯＦＤＭ）フレーム中の複数のＯＦＤＭシンボルとして、Ｍ個のサブシーケンスを送信してもよい。
【００４８】
図５は、図４の動作４００の図による例として、ＣＤＭＡ情報をＯＦＤＭシンボルに変換することを図示する。例えば、５１０において、Ｎ＝１０２４ビットの長さを有し、デジタル０および１の何らかの適切なシーケンスを備えているウォルシュコードシーケンス５００を、Ｍ＝６４のサブシーケンス（Ｙk, 0≦ｋ≦６３）に分割してもよく、各シーケンスは、１６個のサンプルを有する（５２０）。５３０において、高速フーリエ変換（ＦＦＴ）または離散フーリエ変換（ＤＦＴ）を６４個のサブシーケンスのそれぞれに適用してもよく、それにより、５４０において、各サブシーケンスは、１６個のトーンを発生させる。各サブシーケンスに対する１６個のトーンは、ＯＦＤＭシンボルに対応してもよく、そのため、６４個のサブシーケンスは、ＣＤＭＡ副帯域の１６個のトーン中で送信される６４個のＯＦＤＭシンボル（Ｚk, ０≦ｋ≦６３）を生成させてもよい（５５０）。言い換えれば、６４個のサブシーケンスを、６４個のＯＦＤＭシンボルにわたる送信により送信してもよい。
【００４９】
図６は、本開示のいくつかの実施形態にしたがった、ＣＤＭＡを使用して、チャネル品質インジケータ（ＣＱＩ）およびリソース要求（ＲＥＱ）のようなアップリンク情報を伝達する、提案されるアーキテクチャの例示的なブロック図６００である。伝達すべき情報を表すウォルシュインデックスを、ウォルシュシーケンス選択ブロック６０２に入力して、ウォルシュシーケンスを選択してもよい。異なるユーザ端末が異なるスクランブリングを使用するように、出力ウォルシュシーケンスは、複素乗算ブロック６０４によりスクランブルされる（例えば、ＱＰＳＫスクランブルされる）。スクランブルされたシーケンスを、電力測定／調整ブロック６０６に入力してもよい。いくつかの実施形態に対して、電力ブロック６０６の出力を、インターリービングブロック６０８に入力してもよい。インターリービングブロック６０８は、例えば、１０２４個のエレメントの順列シーケンスにより電力ブロック６０６の出力をインターリーブしてもよい。
【００５０】
いずれにせよ、各メッセージに対する、処理されたデジタル信号（ＹCQIまたはＹREQ）を、合計ブロック６１０中で合計してもよく、ブロック６１２において、合計（ＹCDMA）をサブシーケンスに分割してもよい。例えば、ブロック６１２は、１６個のサンプルの長さを有する６４個のサブシーケンスに合計を分割してもよい。サブシーケンス（Ｙk）を（示していない）ＦＦＴブロックまたは離散フーリエ変換（ＤＦＴ）ブロック６１４に送って、ＯＦＤＭシンボル（Ｚk）として送信されるトーンに変換してもよい。図６中で図示したように、ＤＦＴブロック６１４は、長さ１６の６４個のサブシーケンスを、各シンボルが１６個のトーンを有する６４個のＯＦＤＭシンボルに変換する１６ポイントＤＦＴブロックであってもよい。ＵＬ情報に対する２つの処理パスをブロック図６００中で描写しているが、任意の適切な数の処理バスが、アーキテクチャ中に含まれていてもよく、それにより、対応する数の、処理されるウォルシュインデックスを合計ブロック６１０により合計して、合計ＹCDMAを形成してもよい。
【００５１】
いったん、トーンが、ＯＦＤＭ送信としてユーザ端末により送信されると、ＡＰは、受信したＵＬ信号中の情報を解釈することを試みてもよい。図７は、ワイヤレス通信システム中でＣＤＭＡを使用して送られた情報を解釈するための、ＡＰの観点からの、例示的な動作７００のフロー図である。７１０において、複数のＯＦＤＭシンボルを有するＯＦＤＭフレームに基づくアップリンク信号を受信することにより、動作７００は開始してもよい。
【００５２】
７２０において、ＡＰは、複数のＯＦＤＭシンボルから、ウォルシュコードシーケンスに対するＭ個のサブシーケンスを抽出してもよい。７３０において、ＡＰは、Ｍ個のサブシーケンスを基準ウォルシュコードシーケンスと相関させてもよい。７４０において、ＡＰは、ウォルシュコードシーケンスに対応するウォルシュインデックスが、伝達された情報を示すように、相関からウォルシュコードシーケンスを決定してもよい。いくつかの実施形態に対して、伝達された情報がリソース要求（ＲＥＱ）であった場合、ＡＰは、ユーザ端末による受信のために、ＲＥＱの肯定応答を送信してもよい。他の実施形態に対して、伝達された情報がＣＱＩであった場合、ＡＰは、ＣＱＩに基づいてダウンリンク（ＤＬ）信号を送信してもよい。
【００５３】
いくつかの実施形態に対して、ＡＰは、しきい値を相関メトリックと比較し、しきい値を上回るメトリックに対応する基準ウォルシュコードシーケンスを、受信したウォルシュコードシーケンスと考えることにより、ウォルシュコードシーケンスを決定してもよい。
【００５４】
図８は、ＯＦＤＭにより、ウォルシュシーケンス８００を送受信することを図示している。上述したように、ウォルシュシーケンス８００を、サブシーケンスに分割して、トーン（すなわち、ＯＦＤＭ副搬送波）に変換してもよく、変換された各サブシーケンス８１０は、異なるＯＦＤＭシンボル８０５上にある。ユーザ端末が、ワイヤレスチャネルにより、ＯＦＤＭフレーム中のＯＦＤＭシンボル８０５を送信した後、ＡＰは、ある遅延後に、ＯＦＤＭシンボル８１５を受信してもよい。
【００５５】
ＡＰにおいて、各サブシーケンス８２０を、受信したＯＦＤＭシンボル８１５から抽出してもよい。各サブシーケンス８２０と、基準ウォルシュコードサブシーケンス８３０との間の相関を実行してもよい。さらに、基準ウォルシュコードサブシーケンス８３０を遅延ｄだけサイクリックにシフトして、各サブシーケンス８２０と、サイクリックにシフトされた基準ウォルシュコードサブシーケンスとの間の相関を、すべてのシフトされたシーケンス、または、予め定められている数までのサイクリックシフトに対して決定してもよい。最終的な相関メトリックは、特定のシフトにおける、使用された所定の基準ウォルシュコードシーケンス（および、すべての受信アンテナ）に対して、サブシーケンス８２０に関して実行されたすべての相関の合計であってもよい。
【００５６】
図９は、複数のセル９０２を有する、例示的なメトリックマトリックス９００を図示する。メトリックマトリックス９００は、使用される基準ウォルシュコードシーケンス（または、より実際的には、示すような、基準シーケンスの対応するウォルシュインデックス９０４）と、遅延ｄの整数倍における、その基準シーケンスの周期的なシフト９０６とにしたがって、配列されていてもよい。いくつかの実施形態に対して、各セル９０２に対するメトリックの計算は、次のようであってもよい。
【数１】
2012500601.tif 000003
【００５７】
ここで、Ｍは、最終的なメトリックであり、ｗは、使用される基準ウォルシュコードシーケンスのウォルシュインデックスであり、ｄは、シフトインデックスであり、ａは、データを受信するアンテナであり、Ｎｒは、受信アンテナの数であり、Ｐは、受信信号の電力であり、Ｎは、基準シーケンスの正規化である。各アンテナａとウォルシュインデックスｗとシフトインデックスｄとに対する相関ｃを次のように計算してもよい。
【数２】
2012500601.tif 000004
【００５８】
ここで、ｕは、ＯＦＤＭシンボルであり、Ｕは、ＯＦＤＭシンボルの数であり、ｓは、シフトされた基準シーケンスであり、ｒは、受信シーケンスである。受信信号の電力Ｐを次のように計算してもよい。
【数３】
2012500601.tif 000005
【００５９】
Ｍ個のサブシーケンスを基準Ｎビットコードシーケンスと相関させて、各セル９０２に対する相関メトリックを計算することは、（ａ）基準Ｎビットコードシーケンスのうちの１つを選択することと、（ｂ）選択した基準ＮビットコードシーケンスをＭ個の基準サブシーケンスに分割することと、（ｃ）遅延ｄの整数倍だけ、Ｍ個の基準サブシーケンスのそれぞれをサイクリックにシフトすることと、（ｄ）シフトされたＭ個の基準サブシーケンスとの、Ｍ個のサブシーケンスのそれぞれの相関値を計算することと、（ｅ）（ｄ）からの相関値を合計して、遅延ｄの現在の整数倍における、選択した基準Ｎビットコードシーケンスに対するメトリックを決定することと、（ｆ）遅延ｄの異なる整数倍だけ、Ｍ個の基準サブシーケンスのそれぞれをサイクリックにシフトすることと、（ｇ）選択した基準Ｎビットコードシーケンスに対する複数のメトリックが、予め定められている数のサイクリックシフトに対して決定されるまで、ステップ（ｄ）ないし（ｆ）を繰り返すことと、（ｈ）基準Ｎビットコードシーケンスのうちの異なる１つを選択することと、（ｉ）すべての基準Ｎビットコードシーケンスと、予め定められている数のサイクリックシフトとに対してメトリックが決定されるまで、ステップ（ｂ）ないし（ｈ）を繰り返すことと、を含んでいてもよい。
【００６０】
図１０は、いったん、メトリック計算がメトリックマトリックス９００のセル９０２に対して実行された、例示的なメトリックマトリックス１０００の一部を図示する。メトリックマトリックス１０００をしきい値処理して、しきい値処理されたメトリックマトリックス１０１０を発生させてもよい。しきい値処理を使用して、ノイズ、干渉、および／または、周波数オフセット、の影響を取り除いてもよい。しきい値処理されたメトリックマトリックス１０１０において、あるしきい値を下回るすべてのメトリック値をゼロに置き換えてもよい。例示的なメトリックマトリックス１０００をはじめとして、９を下回るすべてのメトリック値をゼロに置き換え、９よりも大きいか、または９に等しい、残りのメトリック値を有する５列だけを、しきい値処理されたメトリックマトリックス１０１０中に残す。しきい値よりも大きいか、または、しきい値に等しいメトリック値を有する列を、メッセージ中に含まれている情報に対応する候補ウォルシュインデックスと考えてもよい。上述したように、この情報は、例えば、リソース要求（ＲＥＱ）またはＣＱＩを含んでいてもよい。しきい値処理されたマトリックス１０１０において、９よりも大きいか、または、９に等しいメトリック値を有する５列は、５個の異なるウォルシュインデックスを示してもよい。
【００６１】
上述したＣＤＭＡベースのスキームは、多数のユーザ端末からＵＬ信号を送信する従来の技術と比較したとき、多数の利点を提供できる。最初に、使用されるスロットの数に関する効率を上げることができる。さらに、このスキームは、多数のユーザ端末に対してスケーラブルであり、サポートできるユーザの数に関してソフトな制限を有することができる。さらに、このＣＤＭＡベースのスキームは、周波数オフセットに対してより大きな許容を提供できる。
【００６２】
長さＮ＝５１２のＣＤＭＡシーケンスの選択が、検出性能と、送られる情報量との間の良好なトレードオフであるように思われる。５ＭＨｚ帯域毎に２５までのユーザ端末の、信頼できる検出およびレンジングが、可能である。現在のスキームでは、±６４までの遅延のチップを検出できる。検出すべき遅延が増加するとき、性能は悪くなる可能性がある。
【００６３】
高い信号対干渉プラスノイズ比（ＳＩＮＲ）において、誤アラーム確率は、周波数オフセットに大いに依存する。周波数オフセットは、時間領域において、決定論的変調を送られるシンボルに加える可能性がある。この決定論的コンポーネントは、受信シーケンスの相互相関の特性を変化させ得る。言い換えれば、もともとは、互いに直交であったシーケンスが、周波数オフセットのために送信後には、もはや直交していないかもしれず、その結果、誤検出の増加に至るかもしれない。高いノイズレベルの存在下で、周波数オフセットから生じる非ヌルの相互相関の誤検出を防ぐために、検出のしきい値を引き上げてもよい。
【００６４】
周波数オフセットの存在下で、インターリービングを使用して、誤アラーム確率を低減させてもよい。それゆえに、いくつかの実施形態に対して、ユーザ端末は、図６のインターリービングブロック６０８中で図示されているように、ウォルシュシーケンスをインターリーブしてもよい。インターリーブすることにより、周波数オフセットに起因する相互相関の除去を支援でき、その結果、検出確率に影響を及ぼすことなく、誤アラーム確率を低減させる。しかしながら、シーケンスをデインターリーブできる前に、すべてのＯＦＤＭシンボルを受信しなければならないことから、インターリーブすることは、メモリ要求の増加を必然的に伴うかもしれない。さらに、デインターリーブすることは、最後のＯＦＤＭシンボルが受信された後に、より多くの処理時間を必要とするかもしれない。
【００６５】
ＣＤＭＡを使用するレンジング
将来のＷＬＡＮシステムにおいて、アップリンクＳＤＭＡは、ＡＰに到来するユーザ端末信号の時間同期に大いに依拠するかもしれない。上述したＣＤＭＡベースのスキームにより提供される別の利点は、ＡＰにおいてレンジングを実行し、非常に短い継続時間中で多数のユーザ端末のタイミング情報を取得する能力である。
【００６６】
図１１は、ＣＤＭＡを使用して情報を送ることに基づく、ワイヤレス通信システム中でのレンジングのための、ユーザ端末の観点からの、例示的な動作１１００のフロー図である。１１１０において、上述したように、ＯＦＤＭフレーム中でウォルシュコードシーケンスを表す複数のＯＦＤＭシンボルを送信することにより、動作１１００は開始してもよい。１１２０において、ユーザ端末は、ＡＰからタイミング情報を受信してもよい。このタイミング情報は、複数のＯＦＤＭシンボルがＡＰにより受信されたときに基づいていてもよい。タイミング情報は、ユーザ端末およびＡＰ間の伝搬遅延（または、伝搬遅延に基づく遅延情報）を含んでいてもよい。１１３０において、ユーザ端末はタイミング情報を使用して、後続のＵＬ送信の開始時間を制御してもよい。この方法において、複数のユーザ端末が、ユーザ端末とＡＰとの間の異なる遅延に基づく、それらのそれぞれのタイミング情報にしたがって情報を送信し、複数のユーザ端末からの情報を、同時にＡＰにおいて受信できる。
【００６７】
再度、本開示の実施形態がウォルシュシーケンスおよびウォルシュインデックスを参照するが、任意の適切な、Ｎビットのコードシーケンスおよび対応するインデックスを使用してもよい。例えば、いくつかの実施形態は、ＩＥＥＥ８０２．１１ｂ波形からＮビットコードシーケンスを導出してもよい。別の例として、いくつかの実施形態は、バーカーシーケンスまたは修正バーカーシーケンスを使用してもよい。
【００６８】
図１２は、ＣＤＭＡを使用して送られた情報に基づく、ワイヤレス通信システム中でのレンジングのための、ＡＰの観点からの、例示的な動作１２００のフロー図である。１２１０において、複数のＯＦＤＭシンボルを有するＯＦＤＭフレームに基づくアップリンク信号を受信することにより、動作１２００が開始してもよい。１２２０において、上述したように、ＡＰは、相関を実行して、複数のＯＦＤＭシンボルから１つ以上のウォルシュコードシーケンスを検出してもよい。
【００６９】
１２３０において、ＡＰは、相関に基づいて、タイミング調整情報を決定してもよく、このことは以下でより詳細に記述する。１２４０において、ＡＰは、タイミング調整情報をＡＰに送信してもよい。それぞれが異なるタイミング調整情報を有する、複数のユーザ端末に対して、動作１２００を実行してもよい。
【００７０】
図１０を再度参照すると、上述したように、しきい値処理されたメトリックマトリックス１０１０により、どのウォルシュインデックスが送信されたメッセージ中におそらく含まれていたかを決定できる。マトリックス１０２０中で示されているように、最も高いメトリックを有するセル１０２２を、ユーザ端末とＡＰとの間の伝搬遅延の最も正確な推定を表すセルとして選択してもよい。セル１０２２に対応するシフトインデックスの遅延ｄは、伝搬遅延を表すことができる。この遅延ｄを使用して、タイミング調整情報を計算してもよく、タイミング調整情報をＡＰによりユーザ端末に送信してもよい。
【００７１】
図１３は、例示的なメトリックマトリックスをしきい値処理し、ＡＰと特定のユーザ端末との間の伝搬遅延を表す１つのシフトインデックスを選択した後の、５１２個の異なるウォルシュインデックスにおける、相関メトリックのグラフ１３００を図示し、グラフ１３００から、そのユーザ端末に対して向けられるタイミング調整情報を計算してもよい。さらに、ピーク１３１０は、ウォルシュコードが存在していることを示し、ピーク１３１０に対応するウォルシュコードインデックスは、受信情報を表すことができる。
【００７２】
上述した方法のさまざまな動作を、図中で図示されているミーンズプラスファンクションブロックに対応する、さまざまな、ハードウェアおよび／またはソフトウェアコンポーネント、ならびに／あるいは、モジュールにより実行してもよい。一般に、図中で説明されている方法は、対応するミーンズプラスファンクションの図を有し、動作ブロックは、同じナンバリングを有するミーンズプラスファンクションブロックに対応する。例えば、図４中で説明されているブロック４１０ないし４３０は、図４Ａ中で説明されているミーンズプラスファンクションブロック４１０Ａないし４３０Ａに対応し、図１２中で説明されているブロック１２１０ないし１２４０は、図１２Ａ中で説明されているミーンズプラスファンクションブロック１２１０Ａないし１２４０Ａに対応する。
【００７３】
ここで使用するとき、用語“決定すること”は、幅広いさまざまな動作を包含する。例えば、“決定すること”は、計算することと、コンピュータで計算することと、処理することと、導出することと、調査することと、調べること（例えば、テーブル、データベースまたは別のデータ構造中で調べること）と、確認することと、これらに類似することとを含んでいてもよい。さらに、“決定すること”は、受信すること（例えば、情報を受信すること）と、アクセスすること（例えば、メモリ中のデータにアクセスすること）と、これらに類似することとを含んでいてもよい。さらに、“決定すること”は、解決することと、選択することと、選ぶことと、確立することと、これらに類似することとを含んでいてもよい。
【００７４】
さまざまな異なる技術および技法のいずれかを使用して、情報および信号を表してもよい。例えば、先の説明全体を通して参照した、データ、命令、コマンド、情報、信号、および、これらに類似するものは、電圧、電流、電磁波、磁界または磁気の粒子、光学界または光の粒子、あるいはこれらの何らかの組み合わせにより、表してもよい。
【００７５】
本開示に関連して説明した、さまざまな実例となる論理的ブロック、モジュール、および、回路を、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理、ディスクリートハードウェアコンポーネント、あるいは、ここで説明した機能を実行するために設計されたこれらの何らかの組み合わせにより、実現または実行してもよい。汎用プロセッサはマイクロプロセッサであってもよいが、代替実施形態では、プロセッサは、何らかの商業的に利用可能なプロセッサ、制御装置、マイクロ制御装置、または、状態機械であってもよい。プロセッサはまた、コンピューティングデバイスの組み合わせとして、例えば、ＤＳＰとマイクロプロセッサとの組み合わせ、複数のマイクロプロセッサ、ＤＳＰコアを備えた１つ以上のマイクロプロセッサ、あるいは、他の任意のそのような構成として実現してもよい。
【００７６】
本開示に関連して説明した方法またはアルゴリズムのステップは、ハードウェアで、プロセッサにより実行されるソフトウェアモジュールで、あるいは、２つを組み合わせたもので、直接的に具現化してもよい。ソフトウェアモジュールは、技術的に知られている何らかの形態の記憶媒体中に存在していてもよい。使用できる記憶媒体のいくつかの例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーブバルディスク、ＣＤ−ＲＯＭなどを含む。ソフトウェアモジュールは、単一の命令、または、多くの命令を含んでいてもよく、いくつかの異なるコードセグメントにわたって、異なるプログラム中に、および、多数の記憶媒体にわたって、分散していてもよい。記憶媒体は、プロセッサが記憶媒体から情報を読み取り、記憶媒体に情報を書き込むことができるように、プロセッサに結合されていてもよい。代替実施形態では、記憶媒体はプロセッサに一体化していてもよい。
【００７７】
ここで開示した方法は、記述した方法を達成するための、１つ以上のステップまたは動作を含む。方法のステップおよび／または動作は、特許請求の範囲から逸脱することなく、相互に交換してもよい。言い換えれば、ステップまたは動作の特定の順序を指定しない限り、順序、ならびに／あるいは、特定のステップおよび／または動作の使用を、特許請求の範囲から逸脱することなく修正してもよい。
【００７８】
説明した機能は、ハードウェアで、ソフトウェアで、ファームウェアで、または、これらの任意の組み合わせで実現してもよい。ソフトウェアで実現した場合、機能は、１つ以上の命令として、コンピュータ読取可能媒体上に記憶してもよい。記憶媒体は、コンピュータによりアクセスできる何らかの利用可能な媒体であってもよい。例として、これらに限定されないが、このようなコンピュータ読み取り可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含むことができる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）はデータをレーザによって光学的に再生する。
【００７９】
ソフトウェアまたは命令を、送信媒体によって送信してもよい。例えば、ソフトウェアが、同軸ケーブルや、光ファイバケーブルや、撚り対や、デジタル加入者回線（ＤＳＬ）や、あるいは、赤外線、無線、および、マイクロ波のような、ワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のような、ワイヤレス技術は、送信媒体の定義に含まれる。
【００８０】
さらに、ここで記述した方法および技術を実行するための、モジュールおよび／または他の適切な手段は、適用可能な場合には、ユーザ端末および／または基地局により、ダウンロードでき、および／または、さもなければ、取得できることを理解すべきである。例えば、そのようなデバイスを、ここで記述した方法を実行する手段の転送を容易にするサーバに結合できる。代わりに、ここで記述したさまざまな方法は、記憶手段（例えば、ＲＡＭ、ＲＯＭ、コンパクトディスク（ＣＤ）またはフロッピーディスクのような物理記憶媒体、など）により提供でき、それにより、ユーザ端末および／または基地局は、記憶手段をデバイスに結合または提供することにより、さまざまな方法を取得できる。さらに、ここで記述した方法および技術を提供する、他の任意の適切な技術をデバイスに対して利用できる。
【００８１】
特許請求の範囲は、先に説明した、厳密な構成およびコンポーネントに限定されないことを理解すべきである。特許請求の範囲から逸脱することなく、上述した方法および装置の構成、動作、および、詳細において、さまざまな修正、変更、および、バリエーションを実施してもよい。
【図１】
2012500601.tif 000006
【図２】
2012500601.tif 000007
【図３】
2012500601.tif 000008
【図４】
2012500601.tif 000009
【図４Ａ】
2012500601.tif 000010
【図５】
2012500601.tif 000011
【図６】
2012500601.tif 000012
【図７】
2012500601.tif 000013
【図７Ａ】
2012500601.tif 000014
【図８】
2012500601.tif 000015
【図９】
2012500601.tif 000016
【図１０】
2012500601.tif 000017
【図１１】
2012500601.tif 000018
【図１１Ａ】
2012500601.tif 000019
【図１２】
2012500601.tif 000020
【図１２Ａ】
2012500601.tif 000021
【図１３】
2012500601.tif 000022
【国際調査報告】
2012500601.tif 000023
2012500601.tif 000024